(57)【要約】【課題】解析対象者の状態を判定することができる教育支援システムを提供すること。【解決手段】対象者に装着され、対象者の動作を検出する携帯機器と、対象者の学習スケジュールを含む活動予定の情報を備え、携帯機器で検出された対象者の動作に基づいて各活動予定の活動量を算出し、各活動予定の活動量に基づいて、対象者の状態を判定する解析装置と、を備える。【選択図】図１
2017207589.tif 000002
【特許請求の範囲】
【請求項１】
対象者に装着され、前記対象者の動作を検出する携帯機器と、
前記対象者の学習スケジュールを含む活動予定の情報を備え、前記携帯機器で検出された前記対象者の動作に基づいて各活動予定の活動量を算出し、各活動予定の活動量に基づいて、前記対象者の状態を判定する解析装置と、を備える教育支援システム。
【請求項２】
前記解析装置から解析結果を取得する電子機器を有し、
前記電子機器は、解析結果を表示する請求項１に記載の教育支援システム。
【請求項３】
前記解析結果は、前記対象者の活動予定ごとの活動量を別々に解析する請求項２に記載の教育支援システム。
【請求項４】
前記解析装置は、基準データを有し、前記基準データに対して前記対象者の活動量が少ない場合、前記電子機器に警告情報を表示させる請求項３に記載の教育支援システム。
【請求項５】
前記活動予定は、授業、休み時間、登下校時間を含むことを特徴とする請求項１から請求項４のいずれか一項に記載の教育支援システム。
【発明の詳細な説明】
【技術分野】
【０００１】
本出願は、教育支援システムに関する。
【背景技術】
【０００２】
複数のセンサの情報を取得して管理する機能を備える携帯電子機器が知られている（例えば、特許文献１）。
【先行技術文献】
【特許文献】
【０００３】
【特許文献１】特開２０１３−１８６５３９号公報
【発明の概要】
【発明が解決しようとする課題】
【０００４】
上記の携帯電子機器では、複数のセンサで携帯電子機器のユーザの情報を検出することができる。携帯電子機器で検出したユーザの情報を有効に活用することに課題がある。解析対象者の状態を判定することができる教育支援システムを提供することにある。
【課題を解決するための手段】
【０００５】
１つの態様に係る教育支援システムは、対象者に装着され、前記対象者の動作を検出する携帯機器と、前記対象者の学習スケジュールを含む活動予定の情報を備え、前記携帯機器で検出された前記対象者の動作に基づいて各活動予定の活動量を算出し、各活動予定の活動量に基づいて、前記対象者の状態を判定する解析装置と、を備える。
【図面の簡単な説明】
【０００６】
【図１】図１は、教育支援システムの概略構成を示す図である。
【図２】図２は、携帯装置の機能的な構成を示すブロック図である。
【図３】図３は、タブレットの機能的な構成を示すブロック図である。
【図４】図４は、解析装置の機能的な構成を示すブロック図である。
【図５】図５は、解析装置の動作の一例を示すフローチャートである。
【図６】図６は、解析装置の動作の一例を示すフローチャートである。
【図７】図７は、解析装置の動作の一例を示すフローチャートである。
【図８】図８は、管理者用タブレットに表示する画面の一例である。
【図９】図９は、管理者用タブレットに表示する画面の一例である。
【図１０】図１０は、管理者用タブレットに表示する画面の一例である。
【図１１】図１１は、管理者用タブレットに表示する画面の一例である。
【図１２】図１２は、管理者用タブレットに表示する画面の一例である。
【図１３】図１３は、管理者用タブレットに表示する画面の一例である。
【発明を実施するための形態】
【０００７】
本発明を実施するための実施形態を、図面を参照しつつ詳細に説明する。図１は、教育支援システムの概略構成を示す図である。図１に示す教育支援システム１００は、複数の端末ユニット４０と、管理者用固定電子機器１０２と、管理者用タブレット１０６と、サーバ（解析装置）１０８と、ネットワーク１１０と、を有する。教育支援システム１００は、生徒、学生の行動の情報を取得し、取得した情報をサーバ（解析装置）１０８で解析し、解析結果を管理者用固定電子機器１０２または管理者用タブレット１０６に出力する。また各部でのデータの送受信はネットワーク１１０を介して実行する。
【０００８】
複数の端末ユニット４０は、行動を解析する対象者が使用する。端末ユニット４０は、携帯装置１と、タブレット５０と、を有する。
【０００９】
携帯装置１は、ウェアラブル機器である。携帯装置１は、ユーザの身体に装着される。図１に示す例では、携帯装置１は、ユーザの手首に装着されている。ユーザの身体に装着されるとは、例えば、携帯装置１がユーザの手首、腕等に装着されること、携帯装置１がユーザのポケットに収容されること等を含む。
【００１０】
携帯装置１は、本体部２０と、装着部３０とを有する。本体部２０は、装着部３０に固定されている。装着部３０は、本体部２０をユーザの身体に装着するためのリストバンドである。携帯装置１は、ユーザの身体に装着されている状態と、ユーザの身体に装着されていない状態とを含む。携帯装置１は、ユーザの身体に装着されることにより、ユーザに関する情報を収集する。ユーザに関する情報は、例えば、ユーザの生体に関する情報、ユーザの移動状態に関する情報、ユーザの周囲環境に関する情報等を含む。
【００１１】
携帯装置１は、本体部２０の主面（正面）に設けられたタッチスクリーンディスプレイ２を有する。タッチスクリーンディスプレイ２は、主面の周縁に沿った円形の形状を有している。タッチスクリーンディスプレイ２は、文字、図形、画像等の各種の情報を含む画面を表示する機能を有する。さらに、タッチスクリーンディスプレイ２は、指、スタイラスペン、ペン等の各種物体の接触を検出する機能を有する。携帯装置１は、タッチスクリーンディスプレイ２が検出する接触に基づいて、タッチスクリーンディスプレイ２に表示されている画面に関するユーザの操作を判定する。
【００１２】
携帯装置１は、複数のセンサを有する。携帯装置１は、複数のセンサの駆動を制御し、複数のセンサによって各種情報を検出する。携帯装置１は、複数のセンサによって検出された検出結果に基づいた処理を行うとともに、当該検出された検出結果を収集して保存する。
【００１３】
図２を参照しながら、携帯装置１の機能的な構成について説明する。図２は、携帯装置１の機能的な構成を示すブロック図である。図２に示すように、携帯装置１は、タッチスクリーンディスプレイ２と、通信部４と、カメラ５と、マイク６と、スピーカ７と、記憶部９と、制御部１０と、照度センサ１１と、近接センサ１２と、加速度センサ１３と、方位センサ１４と、ジャイロセンサ１５と、生体センサ１６とを有する。
【００１４】
タッチスクリーンディスプレイ２は、ディスプレイ２ａと、ディスプレイ２ａに重ねられるタッチスクリーン２ｂとを有する。ディスプレイ２ａは、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２ａは、文字、図形、画像等を表示する。
【００１５】
タッチスクリーン２ｂは、タッチスクリーン２ｂに対する指、ペン、又はスタイラスペン等の接触を検出する。タッチスクリーン２ｂは、複数の指、ペン、又はスタイラスペン等がタッチスクリーン２ｂに接触した位置を検出することができる。
【００１６】
タッチスクリーン２ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者は携帯装置１を操作するために指を用いてタッチスクリーン２ｂに接触するものと想定する。
【００１７】
携帯装置１は、タッチスクリーン２ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２ｂに対して行われる操作である。携帯装置１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１８】
携帯装置１は、タッチスクリーン２ｂを介して判別するこれらのジェスチャに従って動作を行う。このため、ユーザにとって直感的で使いやすい操作性が実現される。判別されるジェスチャに従って携帯装置１が行う動作は、ディスプレイ２ａに表示されている画面に応じて異なることがある。以下の説明では、説明を簡単にするために、「タッチスクリーン２ｂが接触を検出し、検出された接触に基づいてジェスチャの種別を携帯装置１がＸと判別すること」を、「スマートフォンがＸを検出する」、又は「コントローラがＸを検出する」と記載することがある。
【００１９】
通信部４は、無線により通信する。通信部４によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信部４は、上述した通信規格の１つ又は複数をサポートしていてもよい。
【００２０】
カメラ５は、撮影した画像を電気信号へ変換して制御部１０に出力する。マイク６は、ユーザの音声等を音信号へ変換して制御部１０へ出力する。スピーカ７は、制御部１０から送信される音信号を音として出力する。
【００２１】
記憶部９は、プログラム及びデータを記憶する。記憶部９は、制御部１０の処理結果を一時的に記憶する作業領域としても利用される。記憶部９は、半導体記憶媒体、及び磁気記憶媒体等の任意の非一過的（ｎｏｎ−ｔｒａｎｓｉｔｏｒｙ）な記憶媒体を含んでよい。記憶部９は、複数の種類の記憶媒体を含んでよい。記憶部９は、メモリカード、光ディスク、又は光磁気ディスク等の可搬の記憶媒体と、記憶媒体の読み取り装置との組み合わせを含んでよい。記憶部９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２２】
記憶部９に記憶されるプログラムには、フォアグランド又はバックグランドで実行されるアプリケーションと、携帯装置１の基本的な機能を実現させるための制御プログラムとが含まれる。アプリケーションは、例えば、ディスプレイ２ａに画面を表示させ、タッチスクリーン２ｂを介して検出されるジェスチャに応じた処理を制御部１０に実行させる。制御プログラムは、例えば、ＯＳである。アプリケーション及び制御プログラムは、通信部４による通信又は非一過的な記憶媒体を介して記憶部９にインストールされてもよい。
【００２３】
記憶部９は、例えば、制御プログラム９ａ、設定データ９ｂ、及び検出データ９ｃを記憶する。制御プログラム９ａは、携帯装置１を稼働させるための各種制御に関する機能を提供する。制御プログラム９ａは、例えば、通信部４、マイク６、スピーカ７等を制御することによって、通話を実現させる。制御プログラム９ａが提供する機能には、タッチスクリーン２ｂに対するジェスチャに応じて携帯装置１の動作を制御する機能が含まれる。
【００２４】
設定データ９ｂは、携帯装置１の動作に関する各種の設定値を保持する。設定データ９ｂは、例えば、携帯装置１がユーザの身体に装着されていると判別するための判別条件を含む。本実施形態では、判別条件は、生体センサ１６の検出結果に基づいて、ユーザの身体に装着されていると判別するための判別閾値、判別時間等の条件を含む。
【００２５】
検出データ９ｃは、複数のセンサによって検出されたユーザに関する情報を保持する。複数のセンサは、例えば、照度センサ１１、近接センサ１２、加速度センサ１３、方位センサ１４、ジャイロセンサ１５、及び生体センサ１６を含むが、これらに限定されない。複数のセンサは、例えば、温度センサ、紫外線センサ、ＧＰＳ（Ｇｌｏｂａｌ  Ｐｏｓｉｔｉｏｎｉｎｇ  Ｓｙｓｔｅｍ）受信機等を含んでもよい。検出データ９ｃには、複数のセンサによる検出結果を示す検出情報が複数のセンサごとに記憶される。検出情報は、例えば、センサが検出した時間、センサが検出した値といった項目を含む。
【００２６】
制御部１０は、演算処理装置を有する。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１０は、複数の演算処理装置を含んでいてもよい。
【００２７】
制御部１０は、携帯装置１の動作を統括的に制御して各種の機能を実現する。具体的には、制御部１０は、記憶部９に記憶されているデータを必要に応じて参照しつつ、記憶部９に記憶されているプログラムに含まれる命令を実行する。そして、制御部１０は、データ及び命令に応じて各種デバイスを制御し、それによって各種機能を実現する。
【００２８】
制御部１０は、制御プログラム９ａを実行することにより、複数のセンサの駆動を制御し、複数のセンサによる検出結果を検出データ９ｃに収集して保存する。制御部１０は、複数のセンサの検出結果に応じた処理を行う。
【００２９】
複数のセンサは、検出周期に応じて検出対象を検出し、検出結果を制御部１０に出力する。複数のセンサは、制御部１０によって動作の開始及び停止が制御される。複数のセンサは、制御部１０からの変更要求に基づいて検出周期を変更する機能を有する。複数のセンサは、制御部１０からの変更要求に応じて検出周期を変更すると、変更した検出周期に基づいて検出対象を検出する。
【００３０】
制御部１０は、制御プログラム９ａを実行することにより、例えば、生体センサ１６による検出結果に基づいて生体反応を検出すると、生体センサ１６とは異なる他のセンサによる検出周期を変更する処理を実現する。他のセンサは、生体センサ１６と異なる複数のセンサのうちの全部または一部のセンサである。
【００３１】
照度センサ１１は、検出周期ごとに、携帯装置１の周囲光の照度を検出する。照度は、照度センサ１１の測定面の単位面積に入射する光束の値である。照度センサ１１は、例えば、ディスプレイ２ａの輝度の調整に用いられる。近接センサ１２は、検出周期ごとに、近隣の物体の存在を非接触で検出する。近接センサ１２は、磁界の変化又は超音波の反射波の帰還時間の変化等に基づいて物体の存在を検出する。近接センサ１２は、例えば、タッチスクリーンディスプレイ２が顔に近付けられたことを検出する。照度センサ１１及び近接センサ１２は、１つのセンサとして構成されていてもよい。照度センサ１１は、近接センサとして用いられてもよい。
【００３２】
加速度センサ１３は、検出周期ごとに、携帯装置１に働く加速度の方向及び大きさ、携帯装置１の傾きの角度、重力加速度の方向及び大きさを検出する。方位センサ１４は、検出周期ごとに、地磁気の向きを検出する。ジャイロセンサ１５は、検出周期ごとに、携帯装置１の角度及び角速度を検出する。加速度センサ１３、方位センサ１４、及びジャイロセンサ１５の検出結果は、携帯装置１の位置、姿勢、及び状態の変化を検出するために、組み合わせて利用される。
【００３３】
生体センサ１６は、検出周期ごとに、生体反応を検出する。生体センサ１６は、心拍を生体反応として検出してもよいし、心臓の鼓動を生体反応として検出してもよいし、心臓が発する電気信号を生体反応として検出してもよい。生体センサ１６は、生体反応として心拍を検出する場合には赤外線センサなどを用いて構成される。生体センサ１６は、生体反応として心臓の鼓動を検出する場合には加速度センサなどを用いて構成される。生体センサ１６は、生体反応として心臓が発する電気信号を検出する場合には電位センサなどを用いて構成される。
【００３４】
本実施形態では、携帯装置１は、生体センサ１６によって心拍を生体反応として検出する場合について説明するが、これに限定されない。例えば、携帯装置１は、物体が近くにあることを生体反応として検出するように構成されてもよい。例えば、携帯装置１がユーザの身体に装着される場合、ユーザの動作に応じた加速度パターンが携帯装置１に作用する。このような場合、携帯装置１は、ユーザの動作に応じた加速度パターンを生体反応として検出するように構成されてもよい。
【００３５】
携帯装置１は、各種センサの検出結果を取得することで、携帯装置１を使用している解析対象者が、歩いているか、走っているか、座っているか、手を挙げているか、会話をしているか等を検出することができる。また、携帯装置１は、解析対象者が携帯装置１を外していることを検出した場合、周囲の状況を検出し、解析対象者が寝ているか、起きているかを検出することもできる。
【００３６】
タブレット５０は、解析対象者が、各種情報を入力する電子機器である。タブレット５０は、例えば、授業等に使用され、解析対象者が入力した回答を検出する。なお、本実施形態では、タブレット５０としたが、解析対象者が備える電子機器であればよく、スマートフォン、フィーチャーフォン、その他の携帯電話機、ハンドセット等が含まれる。
【００３７】
図３は、タブレット５０の機能的な構成を示すブロック図である。タブレット５０は、ハウジング５１と、タッチスクリーンディスプレイ５２と、通信部５３と、記憶部５４と、制御部５５と、を有する。ハウジング５１は、タブレット５０の筐体である。
【００３８】
タブレット５０は、ハウジング５１の主面（正面）に設けられたタッチスクリーンディスプレイ５２を有する。タッチスクリーンディスプレイ５２は、主面の周縁に沿った矩形の形状を有している。タッチスクリーンディスプレイ５２は、文字、図形、画像等の各種の情報を含む画面を表示する機能を有する。さらに、タッチスクリーンディスプレイ５２は、指、スタイラス、ペン等の各種物体の接触を検出する機能を有する。タブレット５０は、タッチスクリーンディスプレイ５２が検出する接触に基づいて、タッチスクリーンディスプレイ５２に表示されている画面に関するユーザの操作を判定する。
【００３９】
タッチスクリーンディスプレイ５２は、ディスプレイ５２ａと、ディスプレイ５２ａに重ねられるタッチスクリーン５２ｂとを有する。ディスプレイ５２ａは、液晶ディスプレイ（Ｌｉｑｕｉｄ  Ｃｒｙｓｔａｌ  Ｄｉｓｐｌａｙ）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ５２ａは、文字、図形、画像等を表示する。
【００４０】
タッチスクリーン５２ｂは、タッチスクリーン５２ｂに対する指、ペン、又はスタイラスペン等の接触を検出する。タッチスクリーン５２ｂは、複数の指、ペン、又はスタイラスペン等がタッチスクリーン５２ｂに接触した位置を検出することができる。
【００４１】
タッチスクリーン５２ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はタブレット５０を操作するために指を用いてタッチスクリーン５２ｂに接触するものと想定する。
【００４２】
タブレット５０は、タッチスクリーン５２ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン５２ｂに対して行われる操作である。携帯装置１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００４３】
タブレット５０は、タッチスクリーン５２ｂを介して判別するこれらのジェスチャに従って動作を行う。このため、ユーザにとって直感的で使いやすい操作性が実現される。判別されるジェスチャに従って携帯装置１が行う動作は、ディスプレイ５２ａに表示されている画面に応じて異なることがある。
【００４４】
通信部５３は、無線により通信する。通信部５３によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ５２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０５２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信部５３は、上述した通信規格の１つ又は複数をサポートしていてもよい。
【００４５】
記憶部５４は、プログラム及びデータを記憶する。記憶部５４は、制御部５５の処理結果を一時的に記憶する作業領域としても利用される。記憶部５４は、半導体記憶媒体、及び磁気記憶媒体等の任意の非一過的（ｎｏｎ−ｔｒａｎｓｉｔｏｒｙ）な記憶媒体を含んでよい。記憶部５４は、複数の種類の記憶媒体を含んでよい。記憶部５４は、メモリカード、光ディスク、又は光磁気ディスク等の可搬の記憶媒体と、記憶媒体の読み取り装置との組み合わせを含んでよい。記憶部５４は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４６】
記憶部５４に記憶されるプログラムには、フォアグランド又はバックグランドで実行されるアプリケーションと、携帯装置１の基本的な機能を実現させるための制御プログラムとが含まれる。アプリケーションは、例えば、ディスプレイ５２ａに画面を表示させ、タッチスクリーン５２ｂを介して検出されるジェスチャに応じた処理を制御部５５に実行させる。制御プログラムは、例えば、ＯＳである。アプリケーション及び制御プログラムは、通信部５３による通信又は非一過的な記憶媒体を介して記憶部５４にインストールされてもよい。
【００４７】
記憶部５４は、例えば、制御プログラム５４ａ、設定データ５４ｂ、及び履歴データ５４ｃを記憶する。制御プログラム５４ａは、タブレット５０を稼働させるための各種制御に関する機能を提供する。制御プログラム５４ａは、例えば、タッチスクリーンディスプレイ５２、通信部５３等を制御することによって、各種アプリケーションの実行を実現させる。制御プログラム５４ａが提供する機能には、タッチスクリーン５２ｂに対するジェスチャに応じてタブレット５０の動作を制御する機能が含まれる。
【００４８】
設定データ５４ｂは、タブレット５０の動作に関する各種の設定値を保持する。設定データ５４ｂは、例えば、タブレット５０に入力された結果を判定するデータを含む。履歴データ５４ｃは、タブレット５０で実行したアプリケーションで検出した結果を保持する。具体的には、テストや授業で入力された結果を履歴データ５４ｃとして保存する。
【００４９】
制御部５５は、演算処理装置を有する。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部５５は、複数の演算処理装置を含んでいてもよい。
【００５０】
制御部５５は、携帯装置１の動作を統括的に制御して各種の機能を実現する。具体的には、制御部５５は、記憶部５４に記憶されているデータを必要に応じて参照しつつ、記憶部５４に記憶されているプログラムに含まれる命令を実行する。そして、制御部５５は、データ及び命令に応じて各種デバイスを制御し、それによって各種機能を実現する。
【００５１】
制御部５５は、制御プログラム５４ａを実行することにより、タッチスクリーンで検出した入力を履歴データ５４ｃに収集して保存する。制御部５５は、タッチスクリーンで検出した入力に応じた処理を行う。
【００５２】
タブレット５０は、解析対象者の入力に基づいて、表示しているテストの成績や、授業中の問題の回答の正誤を検出することができる。タブレット５０は、解析対象者の入力結果を履歴データ５４ｃとして記憶する。
【００５３】
管理者用固定電子機器１０２は、パーソナルコンピュータであり、キーボード、マウス、タッチパネル等の入力デバイス、表示部、プリンター等の出力デバイス、記憶部、制御部等を備える。管理者用タブレット１０６は、基本的にタブレット５０と同様の構造である。管理者用固定電子機器１０２及び管理者用タブレット１０６は、サーバ（解析装置）１０８で解析した結果を取得し、表示部に表示させる。
【００５４】
サーバ（解析装置）１０８は、端末ユニット４０から送信されたデータを蓄積し、蓄積したデータを解析して、端末ユニット４０の使用者を解析の対象者とし、対象者の行動を解析する。図４は、解析装置の機能的な構成を示すブロック図である。サーバ（解析装置）１０８は、通信部１１２と、制御部１１４と、記憶部１１６と、を有する。
【００５５】
通信部１１２は、無線により通信する。通信部１１２によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ５２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０５２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信部１１２は、上述した通信規格の１つ又は複数をサポートしていてもよい。
【００５６】
制御部１１４は、演算処理装置を有する。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１１４は、複数の演算装置を含んでいてもよい。
【００５７】
制御部１１４は、サーバ１０８の動作を統括的に制御して各種の機能を実現する。具体的には、制御部１１４は、記憶部１１６に記憶されているデータを必要に応じて参照しつつ、記憶部１１６に記憶されているプログラムに含まれる命令を実行する。そして、制御部１１４は、データ及び命令に応じて制御し、それによって各種機能を実現する。
【００５８】
記憶部１１６は、プログラム及びデータを記憶する。記憶部１１６は、制御部１１４の処理結果を一時的に記憶する作業領域としても利用される。記憶部１１６は、半導体記憶媒体、及び磁気記憶媒体等の任意の非一過的（ｎｏｎ−ｔｒａｎｓｉｔｏｒｙ）な記憶媒体を含んでよい。記憶部１１６は、複数の種類の記憶媒体を含んでよい。記憶部１１６は、メモリカード、光ディスク、又は光磁気ディスク等の可搬の記憶媒体と、記憶媒体の読み取り装置との組み合わせを含んでよい。記憶部１１６は、ＲＡＭ（Ｒａｎｄｏｍ  Ａｃｃｅｓｓ  Ｍｅｍｏｒｙ）等の一時的な記憶領域として利用される記憶デバイスを含んでよい。
【００５９】
記憶部１１６に記憶されるプログラムには、フォアグランド又はバックグランドで実行されるアプリケーションと、サーバ１０８の基本的な機能を実現させるための制御プログラムとが含まれる。制御プログラムは、例えば、ＯＳである。アプリケーション及び制御プログラムは、通信部１１２による通信又は非一過的な記憶媒体を介して記憶部１１６にインストールされてもよい。
【００６０】
記憶部１１６は、例えば、制御プログラム１１６ａ、解析プログラム１１６ｂ、ＩＤデータ１１６ｃ、履歴データ１１６ｄ、解析結果データ１１６ｅ及び設定データ１１６ｆを記憶する。制御プログラム１１６ａは、タブレット５０を稼働させるための各種制御に関する機能を提供する。制御プログラム１１６ａは、他の機器との通信を制御する機能が含まれる。具体的には、制御プログラム１１６ａは、他の機器との通信を行い、それぞれの機器からデータを取得する機能、また、データを送信する機能を含む。
【００６１】
解析プログラム１１６ｂは、端末ユニット４０から取得した情報に基づいて解析を実行する。解析プログラム１１６ｂは、例えば、携帯装置１で取得した動作の情報に基づいて、活動量を算出する。この点は後述する。
【００６２】
ＩＤデータ１１６ｃは、端末ユニット４０を有する解析対象者の識別情報を含む。ＩＤデータ１１６ｃは、解析対象者と、携帯装置１の識別情報、タブレット５０の識別情報も対応付けられている。また、ＩＤデータ１１６ｃには、解析対象者の活動予定（イベント）の情報や、活動目標の情報も含まれる。活動予定とは、解析対象者が実行する予定の行事、例えば、起床、出発の準備、登校、授業、休み時間、給食、クラブ活動、習い事、下校、宿題、就寝準備、就寝である。活動目標は、各活動予定を実行する時間目標、回数、動作の目標等を含む。
【００６３】
履歴データ１１６ｄは、携帯装置１やタブレット５０から送信された各種データを保存する。解析結果データ１１６ｅは、解析プログラム１１６ｂで処理した結果を保存する。設定データ１１６ｆは、解析を実行する際の条件や、記憶するデータの条件、画面を作成する際のフレームデータ等を含む。
【００６４】
設定データ１１６ｆは、サーバ１０８の動作に関する各種の設定値を保持する。設定データ１１６ｆは、例えば、タブレット５０に入力された結果を判定するデータを含む。履歴データ１１６ｄは、タブレット５０で実行したアプリケーションで検出した結果を保持する。具体的には、テストや授業で入力された結果を履歴データ１１６ｄとして保存する。
【００６５】
ネットワーク１１０は、各機器の通信を実行する通信網である。ネットワーク１１０は、公衆通信回線網を介して、通信を実行する通信網でもよいが、所定の施設内に設置された施設内の通信網でもよい。
【００６６】
図５は、解析装置の動作の一例を示すフローチャートである。解析装置１０８は、記憶部１１６の記憶された制御プログラム１１６ａで処理を実行することで、図５に示す処理を実現することができる。解析装置１０８は、端末ユニット４０から送信されたデータを受信する（ステップＳ１２）。解析装置１０８は、端末ユニット４０の携帯装置１及びタブレット５０の少なくとも一方から送信されたデータを受信する。
【００６７】
解析装置１０８は、データを受信した場合、受信したデータのＩＤを特定する（ステップＳ１４）。受信したデータに基づいて、データを送信した端末ユニット４０を使用する対象者を特定する。解析装置１０８は、ＩＤに対応したデータを履歴データ１１６ｄに保存する（ステップＳ１６）。解析装置１０８は、受信したデータを対象者（ＩＤ）ごとに分類し、対象者ごとのデータを履歴データ１１６ｄに蓄積する。
【００６８】
図６は、解析装置の動作の一例を示すフローチャートである。解析装置１０８は、記憶部１１６の記憶された解析プログラム１１６ｂで処理を実行することで、図６に示す処理を実現することができる。解析装置１０８は、解析対象者を特定する（ステップＳ２２）。具体的には、解析装置１０８は、複数の解析対象者から一人を特定する。
【００６９】
次に、解析装置１０８は、解析対象者のＩＤに対応するデータを抽出する（ステップＳ２４）。解析装置１０８は、抽出したデータに基づいて、活動量、活動習慣を解析する（ステップＳ２６）。解析装置１０８は、抽出した解析対象者の行動とその行動の時間のデータに基づいて、解析対象者の活動予定毎の行動を特定し、各活動予定での活動量、活動習慣を算出する。活動予定には、例えば、授業、休み時間、登下校時間、クラブ活動時間、睡眠時間、支度時間等が、含まれる。また、解析装置１０８は、活動予定毎の解析結果をさらに解析し、注意が必要な解析対象者かを判定する。
【００７０】
解析装置１０８は、解析対象者の活動量、活動習慣を解析したら、他の解析対象者がいるかを判定する（ステップＳ２８）。解析装置１０８は、他の解析対象者がいる（ステップＳ２８でＹｅｓ）と判定した場合、ステップＳ２２に戻り、次の解析対象者について解析を実行する。解析装置１０８は、他の解析対象者がいない（ステップＳ２８でＮｏ）と判定した場合、解析結果を保存する（ステップＳ３０）。解析装置１０８は、以上のような処理を実行し、携帯装置１及びタブレット５０で検出した結果に基づいて、解析対象者の行動を解析する。
【００７１】
図７は、解析装置１０８の動作の一例を示すフローチャートである。解析装置１０８は、管理者用固定電子機器１０２または管理者用タブレット１０６から解析結果の取得要求があった場合、図７の処理を実行する。
【００７２】
解析装置１０８は、解析結果データの要求を検出した（ステップＳ４２）場合、要求に基づいて画像を作成する（ステップＳ４４）。解析装置１０８は、作成した画像を管理者用固定電子機器１０２または管理者用タブレット１０６に出力する（ステップＳ４６）。なお、本実施形態では、解析装置１０８が画像を作成したが、対象のデータを管理者用固定電子機器１０２または管理者用タブレット１０６に送り、管理者用固定電子機器１０２または管理者用タブレット１０６で画像を作成してもよい。
【００７３】
次に、図８から図１３を用いて、解析結果の表示方法の一例について説明する。図８から図１３は、それぞれ管理者用タブレット１０６に表示する画面の一例である。図８は、解析対象者の一覧を表示する画面である。図８に示す画面２００は、対象者リスト欄２０２と、ツールバー欄２０４と、ポップアップ表示欄２０６と、を含む。対象者リスト欄２０２は、解析対象者を複数のアイコン２０８、２０８ａ、２０８ｂが表示されている。アイコン２０８、２０８ａ、２０８ｂは、解析対象者の写真またはイラストと、氏名が表示されている。また、対象者リスト欄２０２には、アイコン２０８、２０８ａ、２０８ｂのうち、解析した結果、注目が必要な対象者に対してマーク２１０、２１２が表示されている。マーク２１０は、平均よりも評価が低い項目があるため注目が必要と判定した場合に表示される。マーク２１２は、平均よりも評価が高い項目があるため注目が必要と判定した場合に表示される。マーク２１０は、アイコン２０８ａに重ねて表示されている。解析装置１０８は、アイコン２０８ａに対応する解析対象者をストレス負荷状態にあると判定している。また、マーク２１２は、アイコン２０８ｂに重ねて表示されている。解析装置１０８は、アイコン２０８ｂに対応する解析対象者を良好な活動状態にあると判定している。ポップアップ表示欄２０６は、注目が必要な解析対象者とその状態の判定結果を文章で示している。
【００７４】
教育支援システム１００は、以上のように、携帯装置１及びタブレット５０で取得した情報に基づいて、解析対象者の解析を行い、判定結果を画面２００として表示させることで、所定のグループ、例えば、１つのクラスの解析対象者の一覧で、注目が必要な解析対象者を発見することができる。
【００７５】
ここで、解析装置１０８は、基準データを有し、基準データに対して解析対象者の活動量が少ない場合、管理者用固定電子機器１０２または管理者用タブレット１０６等の電子機器に警告情報を表示させることが好ましい。基準データは、記憶部１１６に予め記憶されたデータであってよい。また、基準データは、複数の解析対象者に対する解析結果データ１１６ｅの平均値、または、当該平均値に基づくデータであってよい。また、基準データは、一の解析対象者の特定の期間に取得した解析結果データ１１６ｅの平均値、または、当該平均値に基づくデータであってよい。警告情報は、上記のように、例えば、図８におけるマーク２１０、または、ポップアップ表示欄２０６に示される文章であってよい。
【００７６】
次に、図９は、解析対象者の生活習慣の解析結果を示す画面である。例えば、管理者用タブレット１０６は、図８に示す画面２００を表示している際に、１つのアイコン２０８が選択された場合、選択されたアイコン２０８に対応する解析対象者についての情報を取得し、図９に示す画面２３０を表示させる。画面２３０は、解析対象者表示欄２３２と、解析単位表示欄２３４と、解析グラフ表示欄２３６と、目標生活習慣表示欄２３８と、平均生活習慣表示欄２４０と、を含む。解析対象者表示欄２３２は、解析対象者のアイコンと氏名の表示を含む。
【００７７】
解析単位表示欄２３４は、表示している解析結果に用いたデータの対象の期間を示している。解析単位表示欄２３４は、「１週間」、「１か月」、「３か月」、「１年間」、「すべて」の５つの期間が選択可能となっている。図９では、「１か月」が選択されており、選択されている項目が他の項目とは異なるマーク２４２が付されている。
【００７８】
解析グラフ表示欄２３６は、１日を１周の円として示したグラフに、寝ている時間、自宅にいる時間、学校にいる時間、昼休みの時間、勉強の時間、を表示している。なお、表示する分類は、これに限定されず、活動予定に基づいて変更することができる。
【００７９】
目標生活習慣表示欄２３８は、平均生活習慣表示欄２４０とは、並んで表示されている。目標生活習慣表示欄２３８は、睡眠時間の一部を除いた時間帯における各活動の、予め設定された目標を縦に延びる軸に沿って表示している。目標生活習慣表示欄２３８は、１つの軸に沿って、各活動予定の時間割を表示させた時間割２４４と、時間割２４４に対して各活動予定のイベントを表示させるポップアップ２４６と、を有する。時間割２４４とポップアップ２４６は、予め設定した予定に基づいて作成されている。平均生活習慣表示欄２４０は、睡眠時間の一部を除いた時間帯における各活動の、解析の対象期間（例えば１ヶ月）における平均データを縦に延びる軸に沿って表示している。平均生活習慣表示欄２４０は、１つの軸に沿って、各活動予定の時間割を表示させた時間割２４８と、時間割２４８に対して各活動予定のイベントを表示させるポップアップ２４９と、を有する。時間割２４８とポップアップ２４９は、解析対象者の携帯装置１及びタブレット５０で取得したデータを解析した結果に基づいて作成されている。平均生活習慣表示欄２４０は、さらにポップアップ表示欄２５０を有する。ポップアップ表示欄２５０は、複数のポップアップ２４９のうち、１つのポップアップである特定の活動における詳細な情報（例えば各学習科目の勉強時間の内訳）を表示している。
【００８０】
教育支援システム１００は、以上のように、携帯装置１及びタブレット５０で取得した情報に基づいて、解析対象者の解析を行い、判定結果を画面２３０として表示させることで、解析対象者の活動状態を把握することができる。また、画面２３０に目標と実績の両方を表示させることで、管理者が状態を判定しやすくすることができる。
【００８１】
次に、図１０は、解析対象者の活動量の解析結果を示す画面である。例えば、管理者用タブレット１０６は、図８に示す画面２００を表示している際に、１つのアイコン２０８が選択され、かつ、解析項目として活動量が選択された場合、選択されたアイコン２０８に対応する解析対象者についての情報を取得し、図１０に示す画面２６０を表示させる。画面２６０は、解析対象者表示欄２３２と、解析単位表示欄２３４と、解析グラフ表示欄２６２と、を含む。解析対象者表示欄２３２と、解析単位表示欄２３４は、図９に示す画面２３０の各項目と同様である。
【００８２】
解析グラフ表示欄２６２は、１月の各週の活動量の平均をグラフで示している。活動量としては、登下校時の消費カロリー、休み時間の消費カロリー、授業中の発話回数を算出している。登下校時の消費カロリー、休み時間の消費カロリーは、携帯機器１で検出した解析対象者の移動の検出結果に基づいて算出する。発話回数は、音声データまたは解析対象者が授業中に手を挙げた回数に基づいて算出する。解析グラフ表示欄２６２は、線グラフ２６４と棒グラフ２６６と、を含む。線グラフ２６４は、発話回数の平均値を示している。棒グラフ２６６は、消費カロリーの合計値を示している。また、解析グラフ表示欄２６２は、登下校時の消費カロリー、休み時間の消費カロリー、授業中の発話回数の平均値をそれぞれ、凡例表示欄２６８に表示している。さらに、画面２６０は、管理者がグラフに対して記入した情報が含まれる。画像２６９は、画面２６０に対して管理者タブレット１０８で管理者が記入した結果である。
【００８３】
教育支援システム１００は、以上のように、活動量を検出し、解析対象者の活動予定毎の活動量を検出し、解析することで、解析対象者の状態を高い精度で把握することができる。また、教育支援システム１００は、発話回数で授業中の状態、消費カロリーで休み時間、登下校の状態を把握することで、各活動予定に即した解析を行うことができる。これにより、より適切な解析を行うことができる。
【００８４】
次に、図１１は、解析対象者の目標達成の解析結果を示す画面である。例えば、管理者用タブレット１０６は、図８に示す画面２００を表示している際に、１つのアイコン２０８が選択され、かつ、解析項目として目標達成が選択された場合、選択されたアイコン２０８に対応する解析対象者についての情報を取得し、図１１に示す画面２７０を表示させる。画面２７０は、解析対象者も閲覧できるようにすることが好ましい。
【００８５】
画面２７０は、カレンダー２７２と、達成結果表示欄２７８と、目標表示欄２７９と、を含む。カレンダー２７２は、日付と、各日のうち、目標を達成したことを示すマーク２７４と、各日のうちポイントを獲得した日であることを示すマーク２７６とが表示される。達成結果表示欄２７８は、カレンダー２７２で表示した期間で目標を達成した回数また目標の達成に対して設定されたポイントの獲得数を表示している。目標表示欄２７９は、設定した目標が表示される。解析装置１０８は、解析対象者毎に設定された目標と検出した活動の履歴情報に基づいて、目標の達成状態を判定できる。
【００８６】
教育支援システム１００は、以上のように、活動予定に対する活動を検出し、予め設定された目標に対する達成状態を検出し、その状態を表示させることで、解析対象者の行動をより明確に把握することができる。また、画面２７０を解析対象者も閲覧可能にすることで、目標を達成しようという意欲を増加させ、生活習慣や、活量状態を改善させることができる。
【００８７】
次に、図１２は、解析対象者の解析結果を示す画面である。図１２に示す画面２８０は、複数の解析結果を表示させる画面である。画面２８０は、活動量表示欄２８２と、生活習慣表示欄２８４と、発話量表示欄２８６と、成績データ表示欄２８８と、を有する。
活動量表示欄２８２は、各活動予定での行動量（消費カロリー）を算出し、その結果を棒グラフで表示している。生活習慣表示欄２８４は、１日の中での活動予定を実行した時間や、各活動予定に係る時間を表示している。発話量表示欄２８６は、検出した発話量を表示している。成績データ表示欄２８８は、取得した成績データを表示している。成績データは、タブレット５０に入力された情報の検出、又は、管理者用固定電子機器１０２及び管理者用タブレット１０６の少なくとも一方に入力されたテストの結果に基づいて算出する。
【００８８】
教育支援システム１００は、以上のように、解析対象者の複数の情報を表示させることで、管理者が、各項目を好適に判定することができる。また、タブレット５０等で取得した活動量以外のデータも含むことで、より適切に解析対象者の状態を把握することができる。
【００８９】
次に、図１３は、解析対象者の解析結果を示す画面である。図１３に示す画面２９０は、行動予定毎の活動量を棒グラフで表示させている。画面２９０は、行動予定表示欄２９２と、活動量表示欄２９４と、を有する。行動予定表示欄２９２は、１日のイベントとして、設定されている活動予定を時系列で表示している。活動量表示欄２９４は、行動予定表示欄２９２の活動予定毎の活動量を表示している。ここで、活動量は、各行動予定で別々の動作を検出してもよい。教育支援システム１００は、以上のように、１日の活動量を活動予定毎に表示させてもよい。
【００９０】
また、教育支援システム１００は、各活動予定（イベント）とその活動量の結果に基づいて、解析対象者の開放性、神経症傾向、外向性、協調性、勤勉性等を判定し、その判定結果を表示させるようにしてもよい。
【００９１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００９２】
１  携帯装置
２  タッチスクリーンディスプレイ
２ａ  ディスプレイ
２ｂ  タッチスクリーン
４  通信部
５  カメラ
６  マイク
７  スピーカ
９  記憶部
９ａ  制御プログラム
９ｂ  設定データ
９ｃ  検出データ
１０  制御部
１１  照度センサ
１２  近接センサ
１３  加速度センサ
１４  方位センサ
１５  ジャイロセンサ
１６  生体センサ
４０  端末ユニット
５０  タブレット
１００  教育支援システム
１０２  管理者用固定電子機器
１０６  管理者用タブレット
１０８  サーバ（解析装置）
１１０  ネットワーク
【図１】
2017207589.tif 000003
【図２】
2017207589.tif 000004
【図３】
2017207589.tif 000005
【図４】
2017207589.tif 000006
【図５】
2017207589.tif 000007
【図６】
2017207589.tif 000008
【図７】
2017207589.tif 000009
【図８】
2017207589.tif 000010
【図９】
2017207589.tif 000011
【図１０】
2017207589.tif 000012
【図１１】
2017207589.tif 000013
【図１２】
2017207589.tif 000014
【図１３】
2017207589.tif 000015